(57)【要約】      （修正有）【課題】熱量を増やし、かつ燃焼室上部を取り外し、燃焼塔の交換を容易にすることで稼働時間を増やすことのできる温風発生装置を提供する。【解決手段】籾殻等のバイオマス燃料７の重量や燃えやすさにより、誘導板１１と耐火モルタル６等の耐火物で耐熱性を増した最上部の燃焼皿５、中心部に穴があいてあり、かつ中心部に向かって傾斜がある偶数段に用いる燃焼皿１２と中心部が燃焼皿の端の部分より高くなり主燃料が燃焼皿の端に移動する奇数段に用いる燃焼皿１３で形成した燃焼塔の段数を決めることで、燃焼室１内の滞留時間を調整して、未燃焼の主燃料を減らし燃焼効率を上げる。【選択図】図１
0003197337.tif 000002
【実用新案登録請求の範囲】
【請求項１】
主燃料の重量や燃えやすさにより、誘導板と耐火モルタル等で耐熱性を増した最上部の燃焼皿、中心部に穴があいてあり、かつ中心部に向かって傾斜がある偶数段に用いる燃焼皿と中心部が燃焼皿の端の部分より高くなり主燃料が燃焼皿の端に移動する奇数段に用いる燃焼皿で形成した燃焼塔の段数を決めることで、燃焼室内の滞留時間を調整して、未燃焼の主燃料を減らし燃焼効率を上げた籾殻等のバイオマス燃料を燃料とした温風発生装置。
【請求項２】
高温燃焼により燃焼塔が溶けてしまっても燃焼室上部を開けて数段の燃焼皿で構成された燃焼塔を交換することのできる特徴を有する請求項１記載の温風発生装置。
【考案の詳細な説明】
【技術分野】
【０００１】  本装置は、籾殻を主燃料として燃焼室で燃焼させることで発生した熱をブロアーで送風してハウス内に温風を送る装置である。
【背景技術】
【０００２】  農業用ハウスで使用する温風装置は灯油を主燃料として燃焼室内で燃焼しブロアーで燃焼室の側面の電熱面を通過することで温風にし、ハウス内に温風を送り込むのが従来の温風発生装置である。
【考案の概要】
【考案が解決しようとする課題】
【０００３】  従来の農業ハウスに用いられる温風装置は主燃料が灯油の製品がほとんどであり、籾殻などのバイオマス燃料を主燃料とした温風装置は少なく、そして水を温めて温水にし、その温水を地中に施工したホース内を通して地中を温めてからハウス内を温めるのがほとんどであり、ホースの施工費や不凍液等の費用がかかる。【０００４】  温水を地中に施工してあるホースを通過させて地中を温める方法でハウス内を温める方法は、根の部分が温まり過ぎることで根の生育、葉面積の拡大、葉の光合成速度を抑制ことがある。【０００５】  また、温風器とは異なるが籾殻等のバイオマス燃料を利用した温水器は、燃焼室内が高温になるため炉内が溶ける場合もあり、修理するのに時間が多く必要となる。
【課題を解決するための手段】
【０００７】  籾殻などのバイオマス燃料を燃焼室内で燃焼させ、ブロアーで発生した風を燃焼室の外側にあて、温風にしてハウス内を温めることで地中を温めすぎるために発生する生育不良を防ぐ。【０００８】  燃焼室内に取り付ける取り外しができる数段の燃焼塔を用いることで、高温燃焼により燃焼塔が溶けてしまっても燃焼室上部を開けて交換できることで修理時間の短縮することができる。
【考案の効果】
【０００９】  数段の燃焼塔を用いることで、表面積の小さな籾殻を燃焼室内でより長く滞留させて未燃焼の籾殻を減少させて燃焼効率をよくする。
【図面の簡単な説明】
【００１０】
【図１】温風装置の内面図
【図２】温風装置の外面図
【図３】燃焼等の最上段に用いる燃焼皿
【図４】偶数段に用いる燃焼皿
【図５】奇数段に用いる燃焼皿
【考案を実施するための形態】
【００１３】  燃焼室１上部に取り付けたバーナー２を点火して、三脚３により固定した燃焼塔４の最上部の燃焼皿５を熱くして燃焼室１を温める。
【００１４】  最上部の燃焼皿５には耐熱モルタル６を施し燃焼皿を溶けにくくする。
【００１５】  籾殻等のバイオマス燃料７を投入口８に入れて、モーター９で可動するスクリューシャフト１０を旋回することで籾殻等のバイオマス燃料７を燃焼室１に運ぶ。
【００１６】  燃焼室１内に運ばれた籾殻等のバイオマス燃料７は燃焼塔４の最上部にある誘導板１１を介し最上段の燃焼皿１０に貯まる。
【００１７】  熱せられた最上段の燃焼皿５とバーナー２により貯まった籾殻等のバイオマス燃料１は着火し、バーナー２の火炎の勢いとバーナー内のブロアーにより風力で燃えながら最上段の燃焼皿５の端から下の偶数段に用いる燃焼皿１２に落下する。
【００１８】  偶数段に用いる燃焼皿１２は、最上部の燃焼皿５の下に位置する燃焼皿にも耐火モルタル６等を施し熱による燃焼皿の溶解を防ぐ。
【００１９】  偶数段に用いる燃焼皿１２の中心部分は穴があいてあり、その穴に向かって傾斜となっており、傾斜とバーナー２からの風力により燃焼皿の中心部分の空いてあるところに籾殻等のバイオマス燃料７が移動して、奇数段に用いる燃焼皿１３へと落下する。
【００２０】  奇数段に用いる燃焼皿１３は中心部分が燃焼皿の外側に比べて高くなり、上段と同じように傾斜とバーナー２からの風力により燃焼皿の端から下に落下する。
【００２１】  落下した籾殻等のバイオマス燃料７は灰となり、下部に取り付けている排出用ブロアー１４により外へと排出される。
【００２２】  燃焼室上部にあるバーナーの火炎は、燃焼室内が一定温度に達した時点で止まるが、バーナーにあるブロアーは稼働し、燃焼している籾殻等のバイオマス燃料に空気を供給するとともに、下層へと送り続ける。
【００２３】  上記の流れにより燃焼室１内で発生した熱を温風用ブロアー１５で燃焼室外側から熱を回収し吹出し口１６からハウス内に温風を供給しハウス内の温度を上げる。
【００２４】  燃焼塔７を構成してある燃焼皿の大きさは、最上部の燃焼皿が一番小さく、偶数段に用いる燃焼皿１２が一番大きくしてあるが、スクリューシャフト１０の末端と触れないくらいの大きさにする。
【００２５】  燃焼塔７の交換は、温風発生装置上部を取り外し、誘導板８が付いた方をスクリューシャフト４がある位置以外にしてから燃焼塔を抜き取り、新しい燃焼塔７を抜き取り方法の順番を逆にして取り付け、誘導板１１のある所とスクリューシャフト１０の末端がある所とを一致させて、籾殻等のバイオマス燃料５が下の燃焼皿に落とさないようにする。
【００２６】  燃焼塔７は、籾殻等のバイオマス燃料５の重量や燃えやすさにより段数を変えて、燃焼室１内に籾殻等のバイオマス燃料５を未燃焼の状態を少なくして燃焼率を上げる。
【符号の説明】
【００２６】  １  燃焼室
２  バーナー
３  三脚
４  燃焼塔
５  最上部の燃焼皿
６  耐火モルタル
７  籾殻等のバイオマス燃料
８  投入口
９  モーター
１０  スクリューシャフト
１１  誘導板
１２  偶数段に用いる燃焼皿
１３  奇数段に用いる燃焼皿
１４  排出用ブロアー
１５  温風用ブロアー
１６  吹出し口
１７  籾殻等のバイオマス燃料の移動を表す矢印
【図１】
0003197337.tif 000003
【図２】
0003197337.tif 000004
【図３】
0003197337.tif 000005
【図４】
0003197337.tif 000006
【図５】
0003197337.tif 000007
【手続補正書】
【提出日】平成27年2月13日(2015.2.13)
【手続補正１】
【補正対象書類名】実用新案登録請求の範囲
【補正対象項目名】請求項１
【補正方法】変更
【補正の内容】
【請求項１】
主燃料の重量や燃えやすさにより、誘導板と耐火モルタル等の耐火物で耐熱性を増した最上部の燃焼皿、中心部に穴があいてあり、かつ中心部に向かって傾斜がある偶数段に用いる燃焼皿と中心部が燃焼皿の端の部分より高くなり主燃料が燃焼皿の端に移動する奇数段に用いる燃焼皿で形成した燃焼塔の段数を決めることで、燃焼室内の滞留時間を調整して、未燃焼の主燃料を減らし燃焼効率を上げた籾殻等のバイオマス燃料を燃料とした温風発生装置。